【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
管理情報とレコードデータとを有するレコード構造ファイルを記憶する記憶手段と、
外部装置とのデータ通信を行う通信手段と、
この通信手段によりバイナリデータを処理するコマンドを受信した場合、前記レコード構造ファイルのレコードデータをバイナリデータとして処理する処理手段と、
を具備することを特徴とする携帯可能電子装置。
【請求項２】
管理情報とレコードデータとを有するレコードを格納したファイルを記憶する記憶手段と、
外部装置とのデータ通信を行う通信手段と、
この通信手段により前記記憶手段に記憶されている前記レコードを格納したファイルに対してバイナリデータを処理するコマンドを受信した場合、当該ファイルに格納されている各レコードのデータをバイナリデータとして処理する処理手段と、
を具備することを特徴とする携帯可能電子装置。
【請求項３】
前記レコード構造ファイルに格納されたレコードデータの先頭データの位置を、バイナリデータの先頭データの位置と対応づける、ことを特徴とする前記請求項１に記載の携帯可能電子装置。
【請求項４】
前記記憶手段、前記通信手段および前記処理手段を具備するモジュールと、
前記モジュールが埋設された筐体と、を有する、
ことを特徴とする前記請求項１に記載の携帯可能電子装置。
【請求項５】
前記処理手段は、前記コマンドにより指定されたファイルに格納されている各レコードのレコードデータをバイナリデータとして処理する、
ことを特徴とする前記請求項１に記載の携帯可能電子装置。
【請求項６】
前記処理手段は、前記読出コマンドにより指定されたファイルに格納されている各レコードのレコードデータを昇順に連結したデータをバイナリデータとして処理する、
ことを特徴とする前記請求項５に記載の携帯可能電子装置。
【請求項７】
前記処理手段は、前記読出コマンドにより指定されたファイルに格納されている各レコードのレコードデータを降順に連結したデータをバイナリデータとして処理する、
ことを特徴とする前記請求項５に記載の携帯可能電子装置。
【請求項８】
前記処理手段は、前記コマンドにより指定されたファイルに格納されている各レコードの管理情報とレコードデータとをバイナリデータとして処理する、
ことを特徴とする前記請求項１に記載の携帯可能電子装置。
【請求項９】
前記処理手段は、前記コマンドにより指定されたファイルに格納されている各レコードの管理情報とレコードデータとを昇順に連結したデータをバイナリデータとして処理する、
ことを特徴とする前記請求項８に記載の携帯可能電子装置。
【請求項１０】
前記処理手段は、前記コマンドにより指定されたファイルに格納されている各レコードの管理情報とレコードデータとを降順に連結したデータをバイナリデータとして処理する、
ことを特徴とする前記請求項８に記載の携帯可能電子装置。
【請求項１１】
さらに、前記通信手段により前記記憶手段に記憶されている前記レコードを格納したファイルに対してバイナリデータを処理するコマンドを受信した場合、当該ファイルに格納されている各レコードのデータをバイナリデータとして処理するためのデータ構成を判断する判断手段を有し、
前記処理手段は、前記コマンドにより指定されたファイルに格納されている各レコードのデータを前記判断手段により判断したデータ構成のバイナリデータとして処理する、
ことを特徴とする前記請求項３に記載の携帯可能電子装置。
【請求項１２】
管理情報とレコードデータとを有するレコード構造ファイルを記憶手段に記憶し、
外部装置とのデータ通信を行い、
前記外部装置からバイナリデータを処理するコマンドを受信した場合、前記レコード構造ファイルのレコードデータをバイナリデータとして処理する、
ことを特徴とする携帯可能電子装置におけるデータ処理方法。
【請求項１３】
管理情報とレコードデータとを有するレコードを格納したファイルを記憶手段に記憶し、
外部装置とのデータ通信を行い、
前記外部装置から前記記憶手段に記憶されている前記レコードを格納したファイルに対してバイナリデータを処理するコマンドを受信した場合、当該ファイルに格納されている各レコードのデータをバイナリデータとして処理する、
ことを特徴とする携帯可能電子装置におけるデータ処理方法。
【手続補正２】
【補正対象書類名】明細書
【補正対象項目名】発明の名称
【補正方法】変更
【補正の内容】
【発明の名称】携帯可能電子装置および携帯可能電子装置におけるデータ処理方法
【手続補正３】
【補正対象書類名】明細書
【補正対象項目名】０００１
【補正方法】変更
【補正の内容】
【０００１】
この発明は、たとえば、データの書込みや書換え可能な不揮発性メモリおよびＣＰＵなどの制御素子を有したモジュールを内蔵し、外部から入力されるコマンドに対応した処理を実行するＩＣカードなどの携帯可能電子装置および携帯可能電子装置におけるデータ処理方法に関する。
【手続補正４】
【補正対象書類名】明細書
【補正対象項目名】０００７
【補正方法】変更
【補正の内容】
【０００７】
この発明は、データへの効率的なアクセスが可能な携帯可能電子装置および携帯可能電子装置におけるデータ処理方法を提供することを目的する。
【手続補正５】
【補正対象書類名】明細書
【補正対象項目名】０００９
【補正方法】変更
【補正の内容】
【０００９】
この発明によれば、データへの効率的なアクセスが可能な携帯可能電子装置および携帯可能電子装置におけるデータ処理方法を提供することができる。
【手続補正６】
【補正対象書類名】明細書
【補正対象項目名】００１０
【補正方法】変更
【補正の内容】
【００１０】
以下、この発明を実施するための最良の形態について図面を参照して説明する。  
図１は、この実施の形態に係る携帯可能電子装置としてのＩＣカード１のハードウエア構成を概略的に示すものである。  
図１に示すように、ＩＣカード１は、ＣＰＵ（セントラル・プロセッシング・ユニット）１１、ＲＯＭ（リード・オンリ・メモリ）１２、ＲＡＭ（ランダム・アクセス・メモリ）１３、通信ユニット（ＵＡＲＴ）１４、コプロセッサ（Ｃｏ−Ｐｒｏｃｅｓｓｏｒ）１５、および、不揮発性メモリ（ＮＶ（ＥＥＰＲＯＭ））１６などを有している。
上記ＣＰＵ１１、ＲＯＭ１２、ＲＡＭ１３、通信ユニット１４、コプロセッサ１５および不揮発性メモリ１６は、ＩＣチップなどにより一体的に形成されたモジュールＣａにより構成される。このモジュールＣａは、当該ＩＣカード１を形成する筐体Ｃの内部に埋設される。すなわち、上記ＩＣカード１は、モジュールＣａが埋設された筐体Ｃにより構成されている。  
また、上記ＩＣカード１は、上位装置としての上記ＩＣカード処理装置２から電力などの供給を受けた際、活性化し（動作可能な状態となり）、上記ＩＣカード処理装置２からのコマンドに応じて動作するようになっている。
【手続補正７】
【補正対象書類名】明細書
【補正対象項目名】００１５
【補正方法】変更
【補正の内容】
【００１５】
また、上記ＩＣカード１の通信方式が非接触式（無線式）の通信方式である場合、上記上記通信ユニット１４は、電波の送受信を行うアンテナおよび通信を制御する通信制御部等により構成される。この場合、上記ＩＣカード１は、通信ユニット１４により受信した電波から図示しない電源部により動作電源および動作クロックを生成するようになっている。つまり、上記ＩＣカード１が非接触式ＩＣカードである場合、上記ＩＣカード１は、通信ユニット１４としてのアンテナおよび通信制御部等を介してＩＣカード処理装置２からの電波を受信し、その電波から図示しない電源部により動作電源および動作クロックを生成して活性化するようになっている。
【手続補正８】
【補正対象書類名】図面
【補正対象項目名】図１
【補正方法】変更
【補正の内容】
【図１】
2007102559.tif 000001